(57)【要約】      （修正有）【課題】普段から眼に付く場所で使い続けながら、非常に際しては即座に救命胴衣を取り出すことができる救命胴衣収納袋を提供する。【解決手段】救命胴衣を収納しておく収納袋Ａであって、椅子の背もたれに被せた状態の救命胴衣の上から被せて、内部に背もたれと救命胴衣を収納する大きさと形状を備えており、収納袋Ａには、底面５を開閉するファスナー６が取付けられている。椅子の背もたれに救命胴衣を被せておいて、救命胴衣と背もたれを覆うように収納袋Ａを上から被せ、開閉ファスナー６を閉じておけば、救命胴衣をクッションとして利用でき、非常の際にはファスナー６を開いて救命胴衣を取り出すことができる。【選択図】図１
0003180162.tif 000002
【実用新案登録請求の範囲】
【請求項１】
救命胴衣を収納しておく収納袋であって、椅子の背もたれに被せた状態の救命胴衣の上から被せて、内部に前記背もたれと前記救命胴衣を収納する大きさと形状を備えており、
該収納袋には、底面を開閉するファスナーが取付けられている
ことを特徴とする救命胴衣収納袋。
【請求項２】
前記ファスナーは、前記収納袋の底面とそれに続く両側面の一部を開閉するものである
ことを特徴とする救命胴衣収納袋。
【請求項３】
前記ファスナーは、２個のスライダーを互いに離間接近させることで、開閉するものである
ことを特徴とする救命胴衣収納袋。
【考案の詳細な説明】
【技術分野】
【０００１】
本考案は、救命胴衣収納袋に関する。さらに詳しくは、一般家庭、学校、事業所等で津波等の被災対策に有用な救命胴衣収納袋に関する。
【背景技術】
【０００２】
救命胴衣は、津波や海難事故などの非常時に使用するものであるため、普段は使われることなく、長期間人眼に付かぬ場所にしまわれてしまうことが多い。このため、非常に際して救命胴衣の保管場所が気付かれずに有効に使われないことがあった。
しかし、これでは救命胴衣を用意しておく意味が存しない。
【０００３】
従来技術の一例である特許文献１は、普段は座布団として使用でき、カバーを外すと救命胴衣となる防災座布団というものである。学校やオフィスの椅子にもフィットする構成と説明されているが、座布団は自由に取替え可能であり、本来の座布団の方が座り心地が良いとかデザイン上の好みから良く使われ、結局、特許文献１の防災座布団は使われない可能性が高い。したがって、特許文献１の座布団様防災品は結局使われないことが多い。
【０００４】
しかるに、普段から眼にする場所に救命胴衣を保管し、かつ日頃から使用しておけば、非常の際にも、救命胴衣の存在を忘れることなく使用することができる。
【先行技術文献】
【特許文献】
【０００５】
【特許文献１】特開２００６−２３０４３９号公報
【考案の概要】
【考案が解決しようとする課題】
【０００６】
本考案は上記事情に鑑み、普段から眼に付く場所で使い続けながら、非常に際しては即座に救命胴衣を取り出すことができる救命胴衣収納袋を提供することを目的とする。
【課題を解決するための手段】
【０００７】
第１考案の救命胴衣収納袋は、救命胴衣を収納しておく収納袋であって、椅子の背もたれに被せた状態の救命胴衣の上から被せて、内部に前記背もたれと前記救命胴衣を収納する大きさと形状を備えており、該収納袋には、底面を開閉するファスナーが取付けられていることを特徴とする。
第２考案の救命胴衣収納袋は、前記ファスナーは、前記収納袋の底面とそれに続く両側面の一部を開閉するものであることを特徴とする。
第３考案の救命胴衣収納袋は、前記ファスナーは、２個のスライダーを互いに離間接近させることで、開閉するものであることを特徴とする。
【考案の効果】
【０００８】
第１考案によれば、つぎの効果を奏する。
ａ）椅子の背もたれに救命胴衣を被せておいて、救命胴衣と背もたれを覆うように収納袋を上から被せ、開閉ファスナーを閉じておけば、救命胴衣を椅子に装着した状態にしておけ、救命胴衣をクッションとして利用できる。そして、このような使い方は、日頃から救命胴衣の存在を意識することになるので、非常の際にも必ず使用することができる。
ｂ）また、収納袋で覆われた背もたれクッションは簡単には取り去ることができないので、非常時には失われているといった不都合も生じない。
第２考案によれば、収納袋の底面に加えそれに続く両側面の一部も開くので、大きく開放することができ、救命胴衣の出し入れが容易となる。
第３考案によれば、ファスナーのスライダーを一気に左右に開くと収納袋の底面が大きく開くので、救命胴衣の取り出しが迅速に行える。
【図面の簡単な説明】
【０００９】
【図１】本考案の一実施形態に係る救命胴衣収納袋Ａの斜視図である。
【図２】図１の救命胴衣収納袋Ａを救命胴衣Ｂに被せる状態の説明図である。
【図３】本考案の救命胴衣収納袋Ａを適用可能な椅子の一例を示す説明図である。
【図４】図３の椅子に救命胴衣Ｂを被せた状態の説明図である。
【図５】図４の救命胴衣Ｂに収納袋Ａを被せた状態の説明図である。
【考案を実施するための形態】
【００１０】
つぎに、本考案の実施形態を図面に基づき説明する。
図１および図２に示すように、救命胴衣収納袋Ａは、救命胴衣Ｂを収納しておく収納袋であり、形状は直方体である。すなわち、正面１、背面（図面に現れていない）、天面２、左右の側面３，４、底面５を有している。縦横寸法は、椅子の背もたれと救命胴衣を収納できる大きさであり、厚さも背もたれと救命胴衣を収納できる寸法である。したがって、用いられる椅子の背もたれと救命胴衣の大きさによって、救命胴衣収納袋Ａの形状と寸法は変ることになる。
つまり、本考案の救命胴衣収納袋Ａは、単に救命胴衣を収納するだけでなく、椅子の背もたれに被せた状態の救命胴衣の上から被せて、内部に前記背もたれと前記救命胴衣を収納する大きさと形状を備えている点に特徴がある。
【００１１】
図１に示すように、救命胴衣収納袋Ａには、底面５を開閉するファスナー６が取付けられている。このファスナー６は、収納袋Ａの底面５とそれに続く両側面３，４の一部を開閉するものである。
ファスナー６は、長いテープの内側に務歯６ａ，６ａを取付けたもので２個のスライダー６ｃ，６ｃを取付けている。この２個のスライダー６ｃ，６ｃを互いに離間接近させることで、底面５を開閉することができる。
【００１２】
本考案を適用できる救命胴衣Ｂ自体は公知のものをとくに制限なく用いることができる。たとえば、図２に示す救命胴衣Ｂは、左右の前身頃１２，１３と後身頃１４とがつながっている。そして、左右の前身頃１２，１３はファスナー１７で互いに連結可能になっており、かつ複数本のベルト１８を前身頃１２，１３の前で結合すると、人の胴部に胴衣本体１１をしっかりと装着することができるものである。
【００１３】
図３は本考案の救命胴衣収納袋Ａを使用できる椅子Ｃである。通常の椅子Ｃが有するように座面Ｃ１、脚Ｃ２、そして背もたれＣ３を有している。背もたれを有していれば、どのような椅子でも本考案の適用対象となる。
【００１４】
つぎに、本考案の使用方法を説明する。
図４に示すように、椅子Ｃの背もたれＣ３に救命胴衣Ｂを被せ、ベルトで縛ることにより、しっかりと取付ける。このとき後身頃を前に向けた方が、人が座ったとき背中が痛くなくてよい。
【００１５】
図４の状態の救命胴衣Ｂと背もたれＣ３に本考案の救命胴衣収納袋Ａを被せたのが図５である。このようにして開閉ファスナー６を閉じておけば、救命胴衣Ｂを椅子Ｃに装着した状態にしておけ、救命胴衣Ｂをクッションとして利用できる。そして、このような使い方は、日頃から救命胴衣Ｂの存在を意識することになるので、非常の際にも必ず使用することができる。
また、救命胴衣収納袋Ａで覆われた背もたれクッションは簡単には取り去ることができないので、非常時には失われているといった不都合も生じない。
【００１６】
そして、津波襲来などの非常の際は、ファスナー６を開いて救命胴衣収納袋Ａを取り外し、救命胴衣Ｂを椅子から外して人に着用することになるが、ファスナー６は２個のスライダー６ｃ，６ｃを左右に引いて開らけることができるので、子供や老人等の非力な人でも迅速に開らくことができる。
このため、一刻を争う事態でも救命胴衣Ｂの着用率を高めることができる。
【符号の説明】
【００１７】
１      正面
５      底面
６      ファスナー
６ａ    務歯
６ｃ    スライダー
Ａ      救命胴衣収納袋
Ｂ      救命胴衣
【図１】
0003180162.tif 000003
【図２】
0003180162.tif 000004
【図３】
0003180162.tif 000005
【図４】
0003180162.tif 000006
【図５】
0003180162.tif 000007